(57)【特許請求の範囲】
【請求項１】
バンプが形成された半導体チップと、
前記半導体チップが搭載され、前記バンプが接合された配線を有する基板と、
を含み、
前記配線は、コア層及び表面層を含み、
前記バンプの表面及び前記配線の前記表面層は、同一の金属で形成され、
前記配線の前記コア層及び前記表面層は、ニッケルよりも軟らかい金属からなり、
前記配線の前記コア層の上端部の幅は、前記バンプの幅よりも小さい半導体装置。
【請求項２】
請求項１記載の半導体装置において、
前記バンプの表面及び前記配線の前記表面層は、金で形成されてなる半導体装置。
【請求項３】
請求項１又は請求項２に記載の半導体装置において、
前記配線の前記コア層は、前記配線の前記表面層とは異なる金属で形成されてなる半導体装置。
【請求項４】
請求項３記載の半導体装置において、
前記配線の前記コア層は、銅で形成されてなる半導体装置。
【請求項５】
バンプが形成された半導体チップと、
前記半導体チップが搭載され、前記バンプが接合された配線を有する基板と、
を含み、
前記配線のうち少なくとも前記バンプと接合する部分は、銅からなる層を含むコア層と、前記銅からなる層の上面に設けられた表面層とを含み、
前記バンプのうち少なくとも前記配線と接合する部分と、前記表面層と、は金からなり、
前記配線の前記コア層の上端部の幅は、前記バンプの幅よりも小さい半導体装置。
【請求項６】
ベース基板と、前記ベース基板の上に設けられた配線と、前記配線の上に設けられ開口部を有する絶縁膜と、を有する基板と、
前記基板の上に設けられ、前記配線と接合するバンプが形成された半導体チップと、
を含み、
前記配線は、前記絶縁膜に覆われた第１の部分と、前記開口部内に位置する第２の部分とを含み、
前記配線のうち前記バンプと接合する部分は、前記ベース基板上に支持され、
前記第１の部分は、コア層からなり、
前記第２の部分は、少なくとも、前記コア層と前記コア層の上面に設けられた表面層とを含み、
前記バンプのうち少なくとも前記配線と接合する部分は、前記表面層と同一の金属からなり、
前記コア層と前記表面層とは、ニッケルよりも軟らかい金属からなり、
前記配線の前記コア層の上端部の幅は、前記バンプの幅よりも小さい半導体装置。
【請求項７】
請求項６記載の半導体装置において、
前記コア層は、少なくとも前記表面層と接する部分が銅からなり、
前記表面層は、金からなる半導体装置。
【請求項８】
請求項１から請求項７のいずれかに記載の半導体装置が電気的に接続された回路基板。
【請求項９】
請求項１から請求項７のいずれかに記載の半導体装置を有する電子機器。
【発明の詳細な説明】
【０００１】
【発明の属する技術分野】
本発明は、半導体装置、回路基板及び電子機器に関する。
【０００２】
【発明の背景】
従来、基板に半導体チップを実装する形態が知られている。基板は、ベース基板と、その上にエッチングやメッキなどで形成された複数の配線と、を含む。従来、配線は、コアとなる銅層と、表面に形成された金層と、銅層及び金層の間の拡散防止用のニッケル層と、を含む構成で形成されることが多かった。バンプは一般的に金層で形成され、バンプ及び配線は熱圧着で金属接合されていた。
【０００３】
ところで、ニッケルは金や銅よりも硬いので、配線にニッケル層を使用すると、配線がバンプよりも硬くなる場合があった。これによって、熱圧着時に配線の押圧によってバンプが潰れすぎてしまい、バンプが幅方向に広がって隣のバンプとショートすることがあった。また、配線に比べてバンプが潰れすぎることなどの原因から、バンプと配線との接合強度が低下することがあった。このような課題は、配線側にニッケル以上の硬い金属材料を含む場合のみならず、配線及びバンプの材料の選定によって生じ得る。
【０００４】
本発明は、上述した課題を解決するためのものであり、その目的は、バンプが幅方向に潰れすぎるのを抑え、かつ、配線とバンプとの接合強度を向上させる半導体装置、回路基板及び電子機器を提供することにある。
【０００５】
【課題を解決するための手段】
（１）本発明に係る半導体装置は、バンプが形成された半導体チップと、
前記半導体チップが搭載され、前記バンプが接合された配線を有する基板と、
を含み、
前記配線は、コア層及び表面層を含み、
前記バンプの表面及び前記配線の前記表面層は、同一の金属で形成され、
前記配線の前記コア層及び前記表面層は、ニッケルよりも軟らかい金属からなり、
前記配線の前記コア層の上端部の幅は、前記バンプの幅よりも小さい。
【０００６】
本発明によれば、配線はニッケルよりも軟らかい金属からなるので、配線がバンプよりも顕著に硬くなるの防止して、バンプが潰れすぎるのを抑えることができる。したがって、狭ピッチの半導体チップであっても、バンプ間のショートを防止することができる。また、配線に比べてバンプが潰れすぎるのを抑えることができるので、バンプと配線との接合強度を向上させることができる。なお、本発明において、金属とは、金属、合金、金属化合物を含む。
【０００７】
（２）この半導体装置において、
前記バンプの表面及び前記配線の前記表面層は、金で形成されてもよい。
【０００８】
これによって、金同士を熱圧着させて接合することができる。
【０００９】
（３）この半導体装置において、
前記配線の前記コア層は、前記配線の前記表面層とは異なる金属で形成されていてもよい。
【００１０】
（４）この半導体装置において、
前記配線の前記コア層は、銅で形成されてもよい。
【００１１】
（５）本発明に係る半導体装置は、バンプが形成された半導体チップと、
前記半導体チップが搭載され、前記バンプが接合された配線を有する基板と、
を含み、
前記配線のうち少なくとも前記バンプと接合する部分は、銅からなる層を含むコア層と、前記銅からなる層の上面に設けられた表面層とを含み、
前記バンプのうち少なくとも前記配線と接合する部分と、前記表面層と、は金からなり、
前記配線の前記コア層の上端部の幅は、前記バンプの幅よりも小さい。
【００１２】
本発明によれば、配線に比べてバンプが潰れすぎるのを抑えて、バンプと配線との接合強度を向上させることができる。
【００１３】
（６）本発明に係る半導体装置は、ベース基板と、前記ベース基板の上に設けられた配線と、前記配線の上に設けられ開口部を有する絶縁膜と、を有する基板と、
前記基板の上に設けられ、前記配線と接合するバンプが形成された半導体チップと、
を含み、
前記配線は、前記絶縁膜に覆われた第１の部分と、前記開口部内に位置する第２の部分とを含み、
前記配線のうち前記バンプと接合する部分は、前記ベース基板上に支持され、
前記第１の部分は、コア層からなり、
前記第２の部分は、少なくとも、前記コア層と前記コア層の上面に設けられた表面層とを含み、
前記バンプのうち少なくとも前記配線と接合する部分は、前記表面層と同一の金属からなり、
前記コア層と前記表面層とは、ニッケルよりも軟らかい金属からなり、
前記配線の前記コア層の上端部の幅は、前記バンプの幅よりも小さい。
【００１４】
本発明によれば、配線に比べてバンプが潰れすぎるのを抑えることができるので、バンプと配線との接合強度を向上させることができる。なお、本発明において、金属とは、金属、合金、金属化合物を含む。
【００１５】
（７）この半導体装置において、
前記コア層は、少なくとも前記表面層と接する部分が銅からなり、
前記表面層は、金からなる。
【００１６】
（８）本発明に係る回路基板は、上記半導体装置が電気的に接続されている。
【００１７】
（９）本発明に係る電子機器は、上記半導体装置を有する。
【００２０】
【発明の実施の形態】
以下、本発明の実施の形態について図面を参照して説明する。ただし、本発明は、以下の実施の形態に限定されるものではない。
【００２１】
図１〜図３は、本実施の形態に係る半導体装置を示す図である。図２は、基板の配線の軸方向に直交する方向の断面図であり、図３は、基板の配線の軸方向に沿った方向の断面図である。本実施の形態に係る半導体装置は、半導体チップ１０と、基板２０と、を含む。
【００２２】
半導体チップ１０は、球状に形成されても構わないが、直方体に形成されることが多い。半導体チップ１０は、複数のパッド１２を有する。パッド１２は、半導体チップ１０の集積回路が形成された面に形成されることが多い。パッド１２は、アルミニウム又は銅を含む金属で形成されてもよい。各パッド１２は、半導体チップ１０の面の端部に形成されることが多く、例えば半導体チップ１０の対向する２辺又は４辺に形成されてもよい。
【００２３】
図２及び図３に示すように、半導体チップ１０には、パッド１２を避けて、パッシベーション膜１６が形成されてもよい。パッシベーション膜は、例えば、ＳｉＯ2、ＳｉＮ、ポリイミド樹脂などで形成されてもよい。パッシベーション膜１６は、パッド１２の端部を覆うことが好ましい。
【００２４】
半導体チップ１０には、パッド１２上にバンプ１４が形成されている。バンプ１４は、突起形状に形成される。バンプ１４の形成方法は、例えば、ボンディングワイヤを溶融してボール状に形成するボールバンプ法を適用してもよい。あるいは、バンプ１４は、電解メッキ又は無電解メッキで形成してもよい。その場合、バンプ１４の突起形状は、マスクを使用して形成するストレートウォール型であってもよいし、マスクを使用しないで形成するマッシュルーム型であってもよい。
【００２５】
バンプ１４は、図示するように単一層で形成されてもよい。あるいは、バンプ１４は、複数層で形成されてもよい。複数層の場合、バンプ１４は、内側の層（コア層）と内側の層（コア層）の少なくとも上面に設けられた外側の層（表面層）とを有する。バンプ１４の外側の層（表面層）は、内側の層（コア層）の全体を覆ってもよく、あるいは上面のみを覆ってもよい。
【００２６】
バンプ１４の表面は、金で形成されてもよい。このバンプ１４の材料である金には、少量の銅が含まれていてもよい。図示するようにバンプ１４が単一層である場合には、バンプ１４はいわゆる金バンプであってもよい。その場合、ボールバンプ法でパッド１２上に金バンプを形成してもよい。バンプ１４が複数層である場合には、表面層が金で形成されてもよい。その場合、バンプ１４のコア層は、銅で形成されてもよい。また、バンプ１４のコア層が、銅からなる層を含む場合には、銅からなる層の上面に表面層が形成されてもよい。また、銅及び金の拡散防止用として、両者間にニッケル層を介在させてもよい。このようなバンプは、例えば電解メッキ又は無電解メッキなどで形成することができる。
【００２７】
基板２０は、配線３０と、それを支持するベース基板と、を有する。ベース基板の材料は、有機系又は無機系のいずれであってもよく、それらの複合構造からなるものであってもよい。ベース基板として、ポリイミド樹脂又はポリエチレンテレフタレート（ＰＥＴ）などのフレキシブル基板を使用してもよい。フレキシブル基板は、ＣＯＦ（Chip On Film）用基板又はＴＡＢ（Tape Automated Bonding）用基板であってもよい。すなわち、基板２０は、可撓性を有するフィルムであってもよい。あるいは、ベース基板として、例えば、セラミック基板やガラス基板を使用してもよいし、ガラスエポキシ基板を使用してもよい。
【００２８】
配線３０は、ベース基板の一方又は両方の面に形成される。配線３０とは、少なくとも２点の電気的な接続を図る部分を指し、独立して形成された複数の配線３０を配線パターンと称してもよい。配線３０は、ベース基板上に設けられた導電箔をエッチングして形成してもよいし、電解メッキ又は無電解メッキで形成してもよい。
【００２９】
配線３０の一部は、バンプ１４との接合部となる。配線３０の接合部を含む全体が、ほぼ同一の縦断面が連続する線状をなし、ベース基板側の基端部よりも上端部が細く形成されていてもよい。その場合、配線３０の上端部の幅は、バンプ１４の幅よりも小さくてもよい。あるいは、配線３０の接合部は、その他の部分（ライン）よりも幅が大きいランドになっていてもよい。その場合、ランドの幅はバンプ１４の幅よりも大きくてもよい。
【００３０】
配線３０は、図２に示すように複数層で形成されてもよい。図２では、配線３０は、表面層３２と、表面層３２とは異なる金属材料で形成されたコア層３４と、を含む。表面層３２は、図示するようにコア層３４の表面の全体を覆ってもよく、あるいは上面のみを覆ってもよい。なお、図示する例とは別に、配線３０は単一層で形成されてもよい。また、表面層３２は、配線３０とバンプ１４との接合部を含む部分のみに設けられてもよい。
【００３１】
配線３０の表面は、バンプ１４の表面と同一の金属で形成される。ここで、同一の金属とは、主成分が同じ（実質的に同じ）金属であることを意味し、不純物の濃度等まで完全に同一であることを限定する意味ではない。また、金属とは、金属、合金、金属化合物を含む。配線３０の表面は、バンプ１４の表面と同様に、金で形成されてもよい。すなわち、表面層３２が金で形成されてもよい。その場合、コア層３４は、銅で形成されてもよい。また、このバンプ１４の材料である金には、少量の銅が含まれていてもよい。コア層３４が、銅からなる層を含む場合には、銅からなる層の上面に表面層３２が形成されてもよい。表面層（金層）３２は、約１μｍ以上に厚付けしてもよい。こうすることで、表面層（金層）３２に拡散するコア層３４の金属（銅）が、配線３０の最も外側の面に達するのを防止することができる。あるいは、表面層（金層）３２は、０．３〜０．５μｍ程度に薄付けしてもよい。
【００３２】
例えば、ベース基板上に銅箔を接着剤を介在させて貼り付け、等方性のエッチングでパターニングしてコア層（銅層）３４を形成し、その後に金メッキ浴に浸して表面層（金層）３２を形成してもよい。銅箔は、接着剤なしにスパッタリング等で直接ベース基板に形成してもよい。また、表面層（金層）３２は、電解メッキによって金を銅層の表面に析出させて形成してもよい。
【００３３】
例えば、ベース基板上にコア層３４を形成した後に、コア層３４の上に絶縁膜（図示しない）を設け、絶縁膜のうち、配線３０におけるバンプ１４との接合部となる部分と重なる部分を除去して、絶縁膜に開口部を形成し、この開口部内に位置するコア層３４の上面のみ又は全表面に表面層（金層）３２を形成してもよい。この場合、基板２０は、ベース基板上に配線３０と配線３０の上に設けられた絶縁膜とを有し、この絶縁膜は開口部を有する。配線３０は、絶縁膜に覆われた第１の部分（図示しない）と、開口部内に位置する第２の部分（図示しない）とを有することになる。この場合、第１の部分はコア層３４からなり、第２の部分はコア層３４とコア層３４の少なくとも上面に形成された表面層３２とを含む。
【００３４】
図１に示すように、半導体チップ１０は、基板３０に搭載されている。詳しくは、半導体チップ１０のバンプ１４を有する面が基板３０を向いて搭載されている。すなわち、半導体チップ１０は、基板３０にフェースダウン実装されている。そして、バンプ１４及び配線３０が接合されている。両者の表面層が金で形成される場合には、熱圧着によって表面層同士の金属接合が達成される。この金は、少量の銅を含む金であってもよい。
【００３５】
ここで、本実施の形態では、配線３０は、ニッケルよりも軟らかい金属からなる。すなわち、配線３０は、ニッケルを含まず、かつ、ニッケルよりも硬い金属も含まない。ここで、金属とは、金属、合金、金属化合物を含む。硬い金属とは、塑性変形しにくい金属を指す。なお、銅や金（少量の銅を含む金でもよい）は、ニッケルよりも軟らかい。
【００３６】
配線３０がニッケル以上に硬い金属を含まないことによって、それを含む場合よりも配線３０を軟らかくすることができる。これによって、図３に示すように、ベース基板としてフレキシブル基板を使用した場合には、配線３０は、バンプ１４の応力によって撓む。すなわち、配線３０がバンプ１４に巻きつくように接合され、両者の接合面積が大きくなるので、接合強度（ピール強度）を向上させることができる。例えば、配線３０とバンプ４０とのピール強度を、配線３０とベース基板とのピール強度よりも大きくすることができる。
【００３７】
さらに、配線３０がバンプ１４よりも顕著に硬くなるのを防止できるので、バンプが潰れすぎるのを抑えることができる。特に、図２に示すように、配線３０の上端部の幅がバンプ１４の幅よりも小さい場合には、バンプ１４が潰れて幅方向に広がりやすいので、本発明を適用すると効果的である。
【００３８】
なお、配線３０の形成工程で、メッキ処理によってニッケルなどを形成せずに済むので、半導体装置の製造サイクルを簡略化することができる。
【００３９】
図１〜図３に示すように、半導体チップ１０と基板２０との間に、樹脂２２が設けられてもよい。樹脂２２は、アンダーフィル材であってもよい。樹脂２２によって、バンプ１４と配線３０との電気的な接合部分を封止することができる。樹脂２２は、半導体チップ１０を基板２０に実装後に両者間に注入してもよく、実装前に予め半導体チップ１０又は基板２０に設けておいてもよい。
【００４０】
本実施の形態によれば、配線３０はニッケルよりも軟らかい金属からなるので、配線３０がバンプ１４よりも顕著に硬くなるの防止して、バンプ１４が潰れすぎるのを抑えることができる。したがって、狭ピッチの半導体チップ１０であっても、バンプ１４間のショートを防止することができる。また、配線３０に比べてバンプ１４が潰れすぎるのを抑えることができるので、バンプ１４と配線３０との接合強度を向上させることができる。
【００４１】
なお、本発明は、上述の実施の形態に限定されず、特に配線３０の材料については、上述のいずれかの内容を選択的に適用することができる。
【００４２】
本実施の形態に係る半導体装置の製造方法は、半導体チップ１０を基板２０に実装することを含む。バンプ１４及び配線３０の構成は上述の通りであり、製造方法の説明及び効果も上述の通りである。
【００４３】
図４は、本発明を適用した実施の形態に係る回路基板を示す図である。図４に示すように、回路基板４０には、上述した半導体装置１が電気的に接続されている。回路基板４０は、電気光学パネル（液晶パネル・プラズマディスプレイパネル・エレクトロルミネセンスディスプレイパネルなど）であってもよい。図４に示すように、半導体装置１の基板２０は、屈曲させて設けてもよい。例えば、回路基板４０の端部の回りに基板２０を屈曲させてもよい。
【００４４】
本発明を適用した半導体装置を有する電子機器として、図５には、ノート型パーソナルコンピュータ５０が示されている。図６には、携帯電話６０が示されている。これらの電子機器は、回路基板４０（例えば電気光学パネル）も含む。
【図面の簡単な説明】
【図１】図１は、本発明を適用した実施の形態に係る半導体装置を示す図である。
【図２】図２は、本発明を適用した実施の形態に係る半導体装置を示す図である。
【図３】図３は、本発明を適用した実施の形態に係る半導体装置を示す図である。
【図４】図４は、本発明を適用した実施の形態に係る回路基板を示す図である。
【図５】図５は、本発明を適用した実施の形態に係る電子機器を示す図である。
【図６】図６は、本発明を適用した実施の形態に係る電子機器を示す図である。
【符号の説明】
１０  半導体チップ
１４  バンプ
２０  基板
３０  配線
３２  表面層
３４  コア層
【図１】
0003687610.tif 000002
【図２】
0003687610.tif 000003
【図３】
0003687610.tif 000004
【図４】
0003687610.tif 000005
【図５】
0003687610.tif 000006
【図６】
0003687610.tif 000007